(57)【要約】【課題】外被に分割用ノッチを形成したユニット型光ファイバケーブルであって、ユニット全体として剛性を保持し、既設配管への通線性を向上することのできるようにする。【解決手段】光ファイバ心線と抗張力体とがケーブル断面内で略一直線状に並ぶように樹脂外被によって被覆され、光ファイバ心線に近接する樹脂外被外面に、対向してノッチが形成された光ファイバケーブルを一ユニットとして、複数のユニットが横方向に、それぞれ光ファイバ心線と抗張力体とがケーブル断面内で略一直線に並べられてそれぞれの樹脂外被が一括被覆一体化され、一括被覆一体化された樹脂外被の外面に、各ユニットに分離するための分割用ノッチが形成され各ユニットのノッチおよび分割用ノッチを被うようにして対向して保護樹脂層が形成され該保護樹脂層の外面に、全ユニットを被うシースが形成され、該シースの横方向外面に、分割用ノッチに対向してシース分割ノッチが形成される。【選択図】図１
2011164519.tif 000002
【特許請求の範囲】
【請求項１】
光ファイバ心線と抗張力体とがケーブル断面内で略一直線状に並ぶように樹脂外被によって被覆され、光ファイバ心線に近接する樹脂外被外面に対向してノッチが形成された光ファイバケーブルを一ユニットとして、複数のユニットが横方向に、それぞれの光ファイバ心線と抗張力体とがケーブル断面内で略一直線に並べられてそれぞれの樹脂外被が一括被覆一体化され、一括被覆一体化された樹脂外被の外面に、各ユニットに分離するための分割用ノッチが形成されたユニット型光ファイバケーブルにおいて、
各ユニットのノッチおよび分割用ノッチを被うようにして対向して保護樹脂層が形成され、
該保護樹脂層の外面に、全ユニットを被うシースが形成され、該シースの縦方向外面に、分割用ノッチに対向してシース分割ノッチが形成されていること
を特徴とするユニット型光ファイバケーブル。
【請求項２】
請求項１において、前記保護樹脂層は、積層されることを特徴とするユニット型光ファイバケーブル。
【請求項３】
請求項１において、前記保護樹脂層は、樹脂製テープを巻回して形成されることを特徴とするユニット型光ファイバケーブル。
【請求項４】
請求項１において、各ユニットの前記樹脂外被の一体化された接続部は、前記保護樹脂層および前記シースによって補強されることを特徴とするユニット型光ファイバケーブル。
【発明の詳細な説明】
【技術分野】
【０００１】
本発明は、光ファイバ心線と抗張力体とを樹脂外被で被覆したユニット型光ファイバケーブルに関する。
【背景技術】
【０００２】
高速データ通信の要求が高まっており、各ユーザまで光ファイバを布設するＦＴＴＨ（Fiber To The Home）のサービスが拡大している。特に、マンション、ビルなどの集合住宅、集合事務所への効率的な光ファイバの布設が求められるようになって来た。このため、既設の配管内に複数本の光ファイバケーブルを容易に同時布設すると共に、各布設先まで接続なしに配設することのできる光ファイバケーブルが求められている。
【０００３】
特許文献１には、光ファイバ心線と抗張力体とがケーブル断面内で略一直線状に並ぶように熱可塑性樹脂の外被で一括被覆して、複数のエレメントとした光ファイバケーブルを形成し、複数のエレメントに分割するための分割用ノッチを外被に形成する構造が記載されている。
【先行技術文献】
【特許文献】
【０００４】
【特許文献１】特開２００６−２０９０２３
【発明の概要】
【発明が解決しようとする課題】
【０００５】
特許文献１に記載された構造を有する光ファイバケーブルの採用によって既設の配管内にユニット化された光ファイバを布設できるので、複数本の光ファイバケーブルを同時布設することができ、各布設先まで接続なしに配設することのできるメリットがある。
【０００６】
この場合に、既設の配管には既に電話配線が通線されており、外被に分割用ノッチを形成するためにユニット全体として剛性に欠けることとなって通線性が悪くなって通線性効率が落ちることがある。
【０００７】
本発明は、かかる点に鑑みて外被に分割用ノッチを形成したユニット型光ファイバケーブルであって、ユニット全体として剛性を保持し、既設配管への通線性を向上することのできるようにしたユニット型光ファイバケーブルを提供することを目的とする。
【課題を解決するための手段】
【０００８】
本発明は、光ファイバ心線と抗張力体とがケーブル断面内で略一直線状に並ぶように樹脂外被によって被覆され、光ファイバ心線に近接する樹脂外被外面に対向してノッチが形成された光ファイバケーブルを一ユニットとして、複数のユニットが横方向に、それぞれの光ファイバ心線と抗張力体とがケーブル断面内で略一直線に並べられてそれぞれの樹脂外被が一括被覆一体化され、一括被覆一体化された樹脂外被の外面に、各ユニットに分離するための分割用ノッチが形成されたユニット型光ファイバケーブルにおいて、
各ユニットのノッチおよび分割用ノッチを被うようにして対向して保護樹脂層が形成され、
該保護樹脂層の外面に、全ユニットを被うシースが形成され、該シースの縦方向外面に、分割用ノッチに対向してシース分割ノッチが形成されていること
を特徴とするユニット型光ファイバケーブルを提供する。
【０００９】
本発明は、また、前記保護樹脂層は、積層されることを特徴とするユニット型光ファイバケーブルを提供する。
【００１０】
本発明は、また、前記保護樹脂層は、樹脂製テープを巻回して形成されることを特徴とするユニット型光ファイバケーブルを提供する。
【００１１】
本発明は、また、各ユニットの前記樹脂外被の一体化された接続部は、前記保護樹脂層および前記シースによって補強されることを特徴とするユニット型光ファイバケーブルを提供する。
【発明の効果】
【００１２】
本発明は、上述のように構成しているので、樹脂外被に分割用ノッチが形成されたユニット型光ファイバケーブルにあって、各ユニットのノッチに対向して保護樹脂層が形成され、これをシースで被覆しているのでユニット全体として剛性を保持し、既設配管への通線性を向上することができる。また、本発明は、分割用ノッチに対向する形で外被表面にユニット用のノッチを形成しているので、各布設先への配線に際して、外被を容易に取り除き、ユニット毎に分離して各光ファイバ心線を取り出すことを容易に行うことができる。そのユニット用のノッチ形成によってユニット全体としての剛性が阻害されることはない。
【図面の簡単な説明】
【００１３】
【図１】本発明の実施例の構成を示す縦断面図。
【図２】図１に示す実施例の中央部構成を示す縦断面図。
【発明を実施するための形態】
【００１４】
以下、本発明の実施例を図面に基づいて説明する。
【実施例】
【００１５】
図１は、本発明の実施例であるユニット型光ファイバケーブルの形態を示す、長手方向に対する縦断面図であり、図２は、図１に示す構成の内、中央部の構成を示す図である。
【００１６】
図１において、ユニット型光ファイバケーブル１００は、２つのユニットの光ファイバケーブルから構成される。この例では２つのユニットを示しているが２つ以上の複数としてもよく、この場合に、本実施例のように横方向並列配置に加えて、縦方向配置としてもよい。以下、２つのユニット型光ファイバケーブル１００についても説明する。図１に示すユニット型光ファイバケーブル１００の構成を説明する前に図２に示す構造について説明する。
【００１７】
図２において、光ファイバケーブル９０は、ユニットＡおよびユニットＢから構成され、各ユニットは略同一形状とされる。従って、ユニットＡについての説明はユニットＢの説明に援用される。
【００１８】
光ファイバケーブル９０のユニットＡは、光ファイバ心線２Ａを中央に置いて横方向両側にそれぞれ抗張力体３Ａが配置され、光ファイバ心線２Ａと抗張力体３Ａとがケーブル断面内で略一直線に並ぶ。このように配列された光ファイバケーブル２Ａおよび抗張力体３Ａを樹脂外被１Ａが被覆し、光ファイバ心線２Ａに樹脂外被１Ａの両外面には、対向してノッチ４Ａが形成してある。樹脂外被で被覆したユニットＡの光ファイバケーブルは断面は略矩形状をなす。樹脂には熱可塑性の高分子材料が適用可能である。例えば、高密度ポリエチレンは低密度ポリエチレン、ポリプロピレンをベースポリマとする離燃性樹脂で使用され得る。
【００１９】
ユニットＢもユニットＡと同様に形成され、光ファイバ心線２Ｂ、抗張力体３Ｂおよび樹脂外被１Ｂを備え、全体として断面は略矩形状をなす。
【００２０】
光ファイバケーブルを一つのユニットとして、２つのユニットが横方向に、それぞれの光ファイバ心線２Ａ、２Ｂと抗張力体３Ａ、３Ｂとがケーブル断面内で略同一直線に並べられてそれぞれの樹脂外被１Ａ、１Ｂが一括被覆され一体化され、樹脂外被１とされる。
【００２１】
一括被覆一体化された樹脂外被１の両側の外面に、各ユニットに分離するための分割用ノッチ５が形成される。この分割用ノッチ５はノッチ４Ａ、４Ｂに比べて内部内方まで達しており、それぞれのユニットに分離し易いものとされる。各ユニットへの分離は、集合事務所の布設先でなされ、各ユニットは各布設先まで接続なしで配設される。
【００２２】
図１に示すユニット型光ファイバケーブル１００は、図２に示すユニット化された光ファイバケーブル９０を内部に備える。
【００２３】
ユニット化された光ファイバケーブル９０の両側の外面には保護樹脂層８が形成される。保護樹脂層８は、各ユニットのノッチ４Ａ、４Ｂおよび分割ノッチ５を被うようにして対向して形成され、軽く各ユニットの外面に接着され、ノッチ４Ａ、分割ノッチ５を被い、シース６を被覆した時にシース６がこれらのノッチ溝を埋めることを防止して、ノッチ６を各ユニットから引き離し易いものとしている。なお、保護樹脂層８が各ユニットの外面に接着されない構造としてもよい。保護樹脂層８は、市販のテープから形成することができ、テープの材質としてはポリエチレン、ポリアミド、ＰＥＴ（ポリエチレンテレフレート）、ナイロン、ポリエステル、ＦＲＰなどが使用される。樹脂外被８と同一材料としてもよい。
【００２４】
保護樹脂層８は、一層もしくは複数の積層されたものとされ得、または樹脂製のテープでユニット全体を巻回するようにして形成され得る。
【００２５】
このように、保護樹脂層８を各ユニットの上面、下面に貼着した状態にあっては、ノッチ４Ａ、分割用ノッチ５は空白部とされ、保護樹脂層８によって隔絶された状態となる。
【００２６】
以上のように、保護樹脂層８が貼着されたユニット化された光ファイバケーブル９０には、その外面にシース６が形成されてユニット型光ファイバケーブル１００とされる。シース６はポリエチレンなどの熱可塑性材料で形成される。
【００２７】
このシース６の縦方向の両側の外面に、分割用ノッチに対向して２つのシース分割用ノッチが形成される。シース６はユニット化された光ファイバケーブル９０の全体を被覆して、ユニット型光ファイバケーブル１００の剛性を高めて既設の配管に通線するときに通線性をよくして操業効率を向上させる。保護樹脂層８は、シース分割用ノッチ７を用いてシースを破り、シース６を取り除く時に、シース６の取り除きし易くすると共に、ノッチ４Ａ、４Ｂおよび分割用ノッチ５の保護の役目を果す。また、保護樹脂層８およびシース６を形成するので、上下の分割用ノッチ５を近接させて両分割用ノッチ５間の接続部９の肉厚を極力薄いものとして引き裂き時の作業を容易とすることができる。保護樹脂層８およびシース６は、接続部９の補強の役目を果すことになる。
【００２８】
このように形成されたユニット型光ファイバケーブルは、集合住宅、住宅事務所の布設地まで既設の配管を用いて一体形として通線され、各布設先に配線する時に、作業員はシース分割用ノッチ７を利用してシース６を引き裂いて取り除き、分割用ノッチ５を利用して各ユニットに分離し、更にノッチ４Ａ、４Ｂを用いて樹脂外被１Ａ、１Ｂを引き裂き、光ファイバ心線２Ａ、２Ｂを取り出して配設することを行う。
【符号の説明】
【００２９】
１，１Ａ，１Ｂ…樹脂外被、２Ａ，２Ｂ…光ファイバ心線、３Ａ，３Ｂ…抗張力体、４Ａ，４Ｂ…分割用ノッチ、６…シース、７…シース分割用ノッチ、８…保護樹脂層、９…接続部、９０…ユニット化された光ファイバケーブル、１００…分割型光ファイバケーブル。
【図１】
2011164519.tif 000003
【図２】
2011164519.tif 000004